(57)【要約】端末装置は、あるＴＴＩにおいて少なくとも１つのスケジューリングリクエストがペンディングされており、前記あるＴＴＩにおいて送信のために利用可能なＵＬ−ＳＣＨリソースがなく、前記端末装置が前記あるＴＴＩに対して設定されるスケジューリングリクエストのための有効な物理上りリンク制御チャネルのリソースを持っているという条件を少なくとも含む条件を満たす第１の場合に、カウンターの値が所定の値と同じ、または、所定の値より大きいならば、プライマリーセルにおけるランダムアクセス手順を開始し、プライマリーセル以外のサービングセルにおけるスケジューリングリクエストのためのＰＵＣＣＨリソースをリリースし、全てのペンディングしているスケジューリングリクエストをキャンセルする。
2016121731.tif 000002
【特許請求の範囲】
【請求項１】
第１のサービングセルにおけるランダムアクセス手順、および、第２のサービングセルにおけるランダムアクセス手順を実行し、
あるＴＴＩ（Transmission Time Interval）において少なくとも１つのスケジューリングリクエストがペンディングされており、前記あるＴＴＩにおいて送信のために利用可能なＵＬ−ＳＣＨ（uplink shared channel）リソースがなく、前記端末装置が前記あるＴＴＩに対して設定されるスケジューリングリクエストのための有効な物理上りリンク制御チャネルのリソースを持っているという条件を少なくとも満たす第１の場合に、カウンターの値が所定の値より小さいならば、（ａ）前記カウンターの値を１つインクリメントし、（ｂ）前記物理上りリンク制御チャネルを介して、前記スケジューリングリクエストを送信するよう送信部に指示するＭＡＣ（Medium Access Control）層処理部と、
前記スケジューリングリクエストのための物理上りリンク制御チャネルのリソースが前記あるＴＴＩにおいて前記第２のサービングセルのみに設定されている場合に、前記第２のサービングセルにおいて前記物理上りリンク制御チャネルを介して、前記スケジューリングリクエストを送信する前記送信部と、を備え、
前記ＭＡＣ層処理部は、前記第１の場合に、前記カウンターの値が前記所定の値と同じ、または、前記所定の値より大きいならば、ハンドオーバプロシージャにおいて指示されるセルである前記第１のサービングセル、および、前記スケジューリングリクエストのための物理上りリンク制御チャネルのリソースが設定される前記第２のサービングセルのうち、前記第１のサービングセルにおけるランダムアクセス手順を開始する
端末装置。
【請求項２】
前記ＭＡＣ層処理部は、前記第１の場合に、前記カウンターの値が前記所定の値と同じ、または、前記所定の値より大きいならば、（ａ）前記第２のサービングセルにおける前記物理上りリンク制御チャネルのリリースをＲＲＣ（Radio Resource Control）層に通知し、（ｂ）全てのペンディングしているスケジューリングリクエストをキャンセルする
請求項１の端末装置。
【請求項３】
前記スケジューリングリクエストは、初期送信のためのＵＬ−ＳＣＨ（uplink shared channel）リソースを要求するために用いられる
請求項１の端末装置。
【請求項４】
前記ＭＡＣ層処理部は、時間領域における何れのポイントにおいても１つの前記ランダムアクセス手順のみを実行する
請求項１の端末装置。
【請求項５】
端末装置に実装される集積回路であって、
第１のサービングセルにおけるランダムアクセス手順、および、第２のサービングセルにおけるランダムアクセス手順を実行し、
あるＴＴＩ（Transmission Time Interval）において少なくとも１つのスケジューリングリクエストがペンディングされており、前記あるＴＴＩにおいて送信のために利用可能なＵＬ−ＳＣＨ（uplink shared channel）リソースがなく、前記端末装置が前記あるＴＴＩに対して設定されるスケジューリングリクエストのための有効な物理上りリンク制御チャネルのリソースを持っているという条件を少なくとも満たす第１の場合に、カウンターの値が所定の値より小さいならば、（ａ）前記カウンターの値を１つインクリメントし、（ｂ）前記物理上りリンク制御チャネルを介して、前記スケジューリングリクエストを送信するよう送信回路に指示するＭＡＣ（Medium Access Control）層処理回路と、
前記スケジューリングリクエストのための物理上りリンク制御チャネルのリソースが前記あるＴＴＩにおいて前記第２のサービングセルのみに設定されている場合に、前記第２のサービングセルにおいて前記物理上りリンク制御チャネルを介して、前記スケジューリングリクエストを送信する前記送信回路と、を備え、
前記ＭＡＣ層処理回路は、前記第１の場合に、前記カウンターの値が前記所定の値と同じ、または、前記所定の値より大きいならば、ハンドオーバプロシージャにおいて指示されるセルである前記第１のサービングセル、および、前記スケジューリングリクエストのための物理上りリンク制御チャネルのリソースが設定される前記第２のサービングセルのうち、前記第１のサービングセルにおけるランダムアクセス手順を開始する
集積回路。
【請求項６】
端末装置に用いられる通信方法であって、
第１のサービングセルにおけるランダムアクセス手順、および、第２のサービングセルにおけるランダムアクセス手順を実行し、
あるＴＴＩ（Transmission Time Interval）において少なくとも１つのスケジューリングリクエストがペンディングされており、前記あるＴＴＩにおいて送信のために利用可能なＵＬ−ＳＣＨ（uplink shared channel）リソースがなく、前記端末装置が前記あるＴＴＩに対して設定されるスケジューリングリクエストのための有効な物理上りリンク制御チャネルのリソースを持っているという条件を少なくとも満たす第１の場合に、カウンターの値が所定の値より小さいならば、（ａ）前記カウンターの値を１つインクリメントし、（ｂ）前記物理上りリンク制御チャネルを介して、前記スケジューリングリクエストを送信するよう指示し、
前記スケジューリングリクエストのための物理上りリンク制御チャネルのリソースが前記あるＴＴＩにおいて前記第２のサービングセルのみに設定されている場合に、前記第２のサービングセルにおいて前記物理上りリンク制御チャネルを介して、前記スケジューリングリクエストを送信し、
前記第１の場合に、前記カウンターの値が前記所定の値と同じ、または、前記所定の値より大きいならば、ハンドオーバプロシージャにおいて指示されるセルである前記第１のサービングセル、および、前記スケジューリングリクエストのための物理上りリンク制御チャネルのリソースが設定される前記第２のサービングセルのうち、前記第１のサービングセルにおけるランダムアクセス手順を開始する
通信方法。
【発明の詳細な説明】
【技術分野】
【０００１】
本発明は、端末装置、集積回路、および、通信方法に関する。
本願は、２０１５年１月２８日に、日本に出願された特願２０１５−０１４７３６号、および、２０１５年１０月２９日に、日本に出願された特願２０１５−２１２７０１号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。【０００４】
３ＧＰＰによって、端末装置が５つまでのサービングセル（コンポーネントキャリア）において同時に送信、および／または、受信を行うことができるキャリアアグリゲーションが仕様化されている。【０００５】
３ＧＰＰにおいて、端末装置が５つを超えたサービングセル（コンポーネントキャリア）において同時に送信、および／または、受信を行うことが検討されている（非特許文献１）。また、端末装置が、プライマリーセル以外のサービングセルであるセカンダリーセルにおいて、物理上りリンク制御チャネルを送信することが検討されている（非特許文献１）。
【先行技術文献】
【非特許文献】
【０００６】
【非特許文献１】"New WI proposal: LTE Carrier Aggregation Enhancement Beyond 5 Carriers", RP-142286, Nokia Corporation, NTT DoCoMo Inc., Nokia Networks, 3GPP TSG RAN Meeting #66, Hawaii, United States of America, 8th - 11th December 2014.
【非特許文献２】"3GPP TS 36.321 v12.4.0 Evolved Universal Terrestrial Radio Access (E-UTRA); Medium Access Control (MAC) protocol specification", 5th November 2015.
【非特許文献３】"3GPP TS 36.213 v12.4.0 Evolved Universal Terrestrial Radio Access (E-UTRA); Physical layer procedures", 7th November 2015.
【発明の概要】
【発明が解決しようとする課題】
【０００７】
しかしながら、プライマリーセル以外のサービングセルであるセカンダリーセルにおいて、物理上りリンク制御チャネルが伝送される場合に、端末装置が、スケジューリングリクエストを基地局装置に送信する具体的な方法は十分に検討されていない。【０００８】
本発明は上記の点に鑑みてなされたものであり、その目的は、複数のセル（コンポーネントキャリア）を用いて効率的に基地局装置と通信することができる端末装置、該端末装置に実装される集積回路、該端末装置に用いられる通信方法、該端末装置と通信する基地局装置、該基地局装置に実装される集積回路、該基地局装置に用いられる通信方法を提供することを目的とする。
【課題を解決するための手段】
【０００９】
（１）上記の目的を達成するために、本発明の態様は、以下のような手段を講じた。すなわち、本発明の第１の態様は、端末装置であって、第１のサービングセルにおけるランダムアクセス手順、および、第２のサービングセルにおけるランダムアクセス手順を実行し、あるＴＴＩ（Transmission Time Interval）において少なくとも１つのスケジューリングリクエストがペンディングされており、前記あるＴＴＩにおいて送信のために利用可能なＵＬ−ＳＣＨ（uplink shared channel）リソースがなく、前記端末装置が前記あるＴＴＩに対して設定されるスケジューリングリクエストのための有効な物理上りリンク制御チャネルのリソースを持っているという条件を少なくとも満たす第１の場合に、カウンターの値が所定の値より小さいならば、（ａ）前記カウンターの値を１つインクリメントし、（ｂ）前記物理上りリンク制御チャネルを介して、前記スケジューリングリクエストを送信するよう送信部に指示するＭＡＣ（Medium Access Control）層処理部と、前記スケジューリングリクエストのための物理上りリンク制御チャネルのリソースが前記あるＴＴＩにおいて前記第２のサービングセルのみに設定されている場合に、前記第２のサービングセルにおいて前記物理上りリンク制御チャネルを介して、前記スケジューリングリクエストを送信する前記送信部と、を備え、前記ＭＡＣ層処理部は、前記第１の場合に、前記カウンターの値が前記所定の値と同じ、または、前記所定の値より大きいならば、ハンドオーバプロシージャにおいて指示されるセルである前記第１のサービングセル、および、前記スケジューリングリクエストのための物理上りリンク制御チャネルのリソースが設定される前記第２のサービングセルのうち、前記第１のサービングセルにおけるランダムアクセス手順を開始する。【００１０】
（２）また、本発明の第２の態様は、端末装置に実装される集積回路であって、第１のサービングセルにおけるランダムアクセス手順、および、第２のサービングセルにおけるランダムアクセス手順を実行し、あるＴＴＩ（Transmission Time Interval）において少なくとも１つのスケジューリングリクエストがペンディングされており、前記あるＴＴＩにおいて送信のために利用可能なＵＬ−ＳＣＨ（uplink shared channel）リソースがなく、前記端末装置が前記あるＴＴＩに対して設定されるスケジューリングリクエストのための有効な物理上りリンク制御チャネルのリソースを持っているという条件を少なくとも満たす第１の場合に、カウンターの値が所定の値より小さいならば、（ａ）前記カウンターの値を１つインクリメントし、（ｂ）前記物理上りリンク制御チャネルを介して、前記スケジューリングリクエストを送信するよう送信回路に指示するＭＡＣ（Medium Access Control）層処理回路と、前記スケジューリングリクエストのための物理上りリンク制御チャネルのリソースが前記あるＴＴＩにおいて前記第２のサービングセルのみに設定されている場合に、前記第２のサービングセルにおいて前記物理上りリンク制御チャネルを介して、前記スケジューリングリクエストを送信する前記送信回路と、を備え、前記ＭＡＣ層処理回路は、前記第１の場合に、前記カウンターの値が前記所定の値と同じ、または、前記所定の値より大きいならば、ハンドオーバプロシージャにおいて指示されるセルである前記第１のサービングセル、および、前記スケジューリングリクエストのための物理上りリンク制御チャネルのリソースが設定される前記第２のサービングセルのうち、前記第１のサービングセルにおけるランダムアクセス手順を開始する。【００１１】
（２）また、本発明の第３の態様は、端末装置に用いられる通信方法であって、第１のサービングセルにおけるランダムアクセス手順、および、第２のサービングセルにおけるランダムアクセス手順を実行し、あるＴＴＩ（Transmission Time Interval）において少なくとも１つのスケジューリングリクエストがペンディングされており、前記あるＴＴＩにおいて送信のために利用可能なＵＬ−ＳＣＨ（uplink shared channel）リソースがなく、前記端末装置が前記あるＴＴＩに対して設定されるスケジューリングリクエストのための有効な物理上りリンク制御チャネルのリソースを持っているという条件を少なくとも満たす第１の場合に、カウンターの値が所定の値より小さいならば、（ａ）前記カウンターの値を１つインクリメントし、（ｂ）前記物理上りリンク制御チャネルを介して、前記スケジューリングリクエストを送信するよう指示し、前記スケジューリングリクエストのための物理上りリンク制御チャネルのリソースが前記あるＴＴＩにおいて前記第２のサービングセルのみに設定されている場合に、前記第２のサービングセルにおいて前記物理上りリンク制御チャネルを介して、前記スケジューリングリクエストを送信し、前記第１の場合に、前記カウンターの値が前記所定の値と同じ、または、前記所定の値より大きいならば、ハンドオーバプロシージャにおいて指示されるセルである前記第１のサービングセル、および、前記スケジューリングリクエストのための物理上りリンク制御チャネルのリソースが設定される前記第２のサービングセルのうち、前記第１のサービングセルにおけるランダムアクセス手順を開始する。
【発明の効果】
【００１２】
この発明によれば、端末装置が、複数のセル（コンポーネントキャリア）を用いて効率的に基地局装置と通信することができる。
【図面の簡単な説明】
【００１３】
【図１】本実施形態の無線通信システムの概念図である。
【図２】本実施形態におけるＰＵＣＣＨセルグループの一例を示す図である。
【図３】本実施形態における、サブフレーム（ＴＴＩ）のそれぞれに対して実行されるスケジューリングリクエストに関する処理の一例を示す図である。
【図４】本実施形態の端末装置１の構成を示す概略ブロック図である。
【図５】本実施形態の基地局装置３の構成を示す概略ブロック図である。
【発明を実施するための形態】
【００１４】
以下、本発明の実施形態について説明する。
【００１５】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１６】
以下、キャリアアグリゲーションについて説明する。
【００１７】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。キャリアアグリゲーションにおいて、設定された複数のサービングセルを集約されたサービングセルとも称する。
【００１８】
本実施形態の無線通信システムは、ＴＤＤ（Time Division Duplex）および／またはＦＤＤ（Frequency Division Duplex）が適用される。セルアグリゲーションの場合には、複数のサービングセルの全てに対してＴＤＤが適用されてもよい。また、セルアグリゲーションの場合には、ＴＤＤが適用されるサービングセルとＦＤＤが適用されるサービングセルが集約されてもよい。
【００１９】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００２０】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２１】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２２】
本実施形態において、ＰＵＣＣＨ（Physical Uplink Control Channel）の送信のために用いられるセカンダリーセルを、スペシャルセカンダリーセル、および、ＰＵＣＣＨセカンダリーセルと称する。本実施形態において、ＰＵＣＣＨの送信のために用いられないセカンダリーセルを、非スペシャルセカンダリーセル、非ＰＵＣＣＨセカンダリーセル、非ＰＵＣＣＨサービングセル、および、非ＰＵＣＣＨセルと称する。プライマリーセルおよびスペシャルセカンダリーセルを総称して、ＰＵＣＣＨサービングセル、および、ＰＵＣＣＨセルと称する。
【００２３】
ＰＵＣＣＨサービングセル（プライマリーセル、ＰＵＣＣＨセカンダリーセル）は、下りリンクコンポーネントキャリア、および、上りリンクコンポーネントキャリアを持つ。ＰＵＣＣＨサービングセル（プライマリーセル、ＰＵＣＣＨセカンダリーセル）において、ＰＵＣＣＨのリソースが設定される。
【００２４】
非ＰＵＣＣＨサービングセル（非ＰＵＣＣＨセカンダリーセル）は、下りリンクコンポーネントキャリアのみを持ってもよい。非ＰＵＣＣＨサービングセル（非ＰＵＣＣＨセカンダリーセル）は、下りリンクコンポーネントキャリア、および、上りリンクコンポーネントキャリアを持ってもよい。
【００２５】
端末装置１は、ＰＵＣＣＨサービングセルにおいてＰＵＣＣＨでの送信を行う。端末装置１は、プライマリーセルにおいてＰＵＣＣＨでの送信を行う。端末装置１は、スペシャルセカンダリーセルにおいてＰＵＣＣＨでの送信を行う。端末装置１は、非スペシャルセカンダリーセルにおいてＰＵＣＣＨでの送信を行わない。
【００２６】
尚、スペシャルセカンダリーセルを、プライマリーセルおよびセカンダリーセルでないサービングセルとして定義してもよい。
【００２７】
本実施形態の物理チャネルおよび物理信号について説明する。
【００２８】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２９】
ＰＵＣＣＨは、上りリンク制御情報（Uplink Control Information: UCI）を送信するために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００３０】
スケジューリングリクエストは、正のスケジューリングリクエスト（positive scheduling request）、または、負のスケジューリングリクエスト（negative scheduling request）を含む。正のスケジューリングリクエストは、初期送信のためのＵＬ−ＳＣＨリソースを要求することを示す。負のスケジューリングリクエストは、初期送信のためのＵＬ−ＳＣＨリソースを要求しないことを示す。
【００３１】
ＰＵＣＣＨフォーマット１は、正のスケジューリングリクエストを送信するために用いられる。ＰＵＣＣＨフォーマット１ａは、１ビットのＨＡＲＱ−ＡＣＫを送信するために用いられる。ＰＵＣＣＨフォーマット１ｂは、２ビットのＨＡＲＱ−ＡＣＫを送信するために用いられる。チャネル選択をともなうＰＵＣＣＨフォーマット１ｂは、端末装置に１つより多いサービングセルを設定される場合に４ビットまでのＨＡＲＱ−ＡＣＫを送信するために用いられる。ＰＵＣＣＨフォーマット３は、ＨＡＲＱ−ＡＣＫのみを送信するために用いられてもよい。ＰＵＣＣＨフォーマット３は、ＨＡＲＱ−ＡＣＫおよびスケジューリングリクエスト（正のスケジューリングリクエスト、または、負のスケジューリングリクエスト）を送信するために用いられてもよい。
【００３２】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。
【００３３】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、媒体アクセス制御（MAC: Medium Access Control）層において、ＭＡＣ  ＣＥを送受信してもよい。ここで、ＲＲＣシグナリング、および／または、ＭＡＣ  ＣＥを、上位層の信号（higher layer signaling）とも称する。
【００３４】
ＰＵＳＣＨは、ＲＲＣシグナリング、および、ＭＡＣ  ＣＥを送信するために用いられる。ここで、基地局装置３から送信されるＲＲＣシグナリングは、セル内における複数の端末装置１に対して共通のシグナリングであっても良い。また、基地局装置３から送信されるＲＲＣシグナリングは、ある端末装置１に対して専用のシグナリング（dedicated signalingとも称する）であっても良い。すなわち、ユーザ装置スペシフィック（ユーザ装置固有）な情報は、ある端末装置１に対して専用のシグナリングを用いて送信される。
【００３５】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨ（ＵＬ−ＳＣＨ）リソースの要求を示すために用いられる。
【００３６】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３７】
本実施形態において、以下の２つのタイプの上りリンク参照信号が用いられる。
・ＤＭＲＳ（Demodulation Reference Signal）
・ＳＲＳ（Sounding Reference Signal）
【００３８】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３９】
ＳＲＳは、ＰＵＳＣＨまたはＰＵＣＣＨの送信に関連しない。基地局装置３は、上りリンクのチャネル状態を測定するためにＳＲＳを使用する。
【００４０】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００４１】
ＰＢＣＨは、端末装置１で共通に用いられるマスターインフォメーションブロック（Master Information Block: MIB, Broadcast Channel: BCH）を報知するために用いられる。
【００４２】
ＰＣＦＩＣＨは、ＰＤＣＣＨの送信に用いられる領域（ＯＦＤＭシンボル）を指示する情報を送信するために用いられる。
【００４３】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００４４】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、ＤＣＩフォーマット３、ＤＣＩフォーマット３Ａ、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４５】
下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。
【００４６】
上りリンクグラントは、単一のセル内の単一のＰＵＳＣＨのスケジューリングに用いられる。上りリンクグラントは、該上りリンクグラントが送信されたサブフレームより４つ以上後のサブフレーム内の単一のＰＵＳＣＨのスケジューリングに用いられる。上りリンクグラントは、ＰＵＳＣＨに対するＴＰＣコマンドを含む。
【００４７】
下りリンクグラント、または、上りリンクグラントに付加されるＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において端末装置を識別するための識別子である。
【００４８】
Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００４９】
ＰＤＳＣＨは、下りリンクデータ（Downlink Shared Channel: DL-SCH）を送信するために用いられる。
【００５０】
ＰＭＣＨは、マルチキャストデータ（Multicast Channel: MCH）を送信するために用いられる。
【００５１】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５２】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５３】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００５４】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５５】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５６】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００５７】
本実施形態において、プライマリーセルおよびセカンダリーセルにおいてランダムアクセス手順が実行されてもよい。ただし、時間領域における何れのポイントにおいても１つのランダムアクセス手順のみが実行される。すなわち、複数のランダムアクセス手順は同時に実行されない。
【００５８】
プライマリーセルにおいてＰＲＡＣＨが送信されてもよい。端末装置１は、プライマリーセルにおけるランダムアクセス手順に関する情報（ＲＲＣメッセージ）を、基地局装置３から受信する。プライマリーセルにおけるランダムアクセス手順に関する情報は、プライマリーセルにおけるＰＲＡＣＨリソースのセットを示す情報を含む。
【００５９】
セカンダリーセルにおいてＰＲＡＣＨが送信されてもよい。端末装置１は、セカンダリーセルにおけるランダムアクセス手順に関する情報（ＲＲＣメッセージ）を、基地局装置３から受信する。セカンダリーセルにおけるランダムアクセス手順に関する情報は、セカンダリーセルにおけるＰＲＡＣＨリソースのセットを示す情報を含む。
【００６０】
本実施形態において、複数のサービングセルのグループをＰＵＣＣＨセルグループと称する。あるサービングセルは、何れか１つのＰＵＣＣＨセルグループに属する。
【００６１】
１つのＰＵＣＣＨセルグループは、１つ、または、複数のＰＵＣＣＨサービングセルを含んでもよい。１つのＰＵＣＣＨセルグループは、１つのＰＵＣＣＨサービングセルのみを含んでもよい。１つのＰＵＣＣＨセルグループは、１つのＰＵＣＣＨサービングセル、および、１つまたは複数の非ＰＵＣＣＨサービングセルを含んでもよい。
【００６２】
プライマリーセルを含むＰＵＣＣＨセルグループを、プライマリーＰＵＣＣＨセルグループと称する。プライマリーセルを含まないＰＵＣＣＨセルグループを、セカンダリーＰＵＣＣＨセルグループと称する。すなわち、セカンダリーＰＵＣＣＨセルグループは、ＰＵＣＣＨセカンダリーセルを含む。
【００６３】
ＰＵＣＣＨセルグループを識別するためのインデックス（セルグループインデックス）が定義されてもよい。プライマリーＰＵＣＣＨセルグループに対するインデックスは常に０である。セカンダリーＰＵＣＣＨセルグループに対するインデックスはネットワーク装置（基地局装置３）によって設定されてもよい。
【００６４】
ＰＵＣＣＨサービングセルのＰＵＣＣＨは、該ＰＵＣＣＨサービングセルが属するＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、および／または、ＣＳＩ）を送信するために用いられる。
【００６５】
すなわち、ＰＵＣＣＨセルグループに含まれるサービングセル（ＰＵＣＣＨサービングセル、非ＰＵＣＣＨサービングセル）に対する上りリンク制御情報（ＨＡＲＱ−ＡＣＫ、および／または、ＣＳＩ）は、該ＰＵＣＣＨセルグループに含まれるＰＵＣＣＨサービングセルにおけるＰＵＣＣＨを用いて送信される。
【００６６】
例えば、プライマリーＰＵＣＣＨセルグループに含まれるサービングセルに対する上りリンク制御情報（ＨＡＲＱ−ＡＣＫ、および／または、ＣＳＩ）は、該プライマリーＰＵＣＣＨセルグループに含まれるＰＵＣＣＨセカンダリーセルにおけるＰＵＣＣＨを用いて送信されてもよい。
【００６７】
ＨＡＲＱ−ＡＣＫに対するＰＵＣＣＨセルグループと、ＣＳＩに対するＰＵＣＣＨセルグループは個別に定義されてもよい。ＨＡＲＱ−ＡＣＫに対するＰＵＣＣＨセルグループと、ＣＳＩに対するＰＵＣＣＨセルグループは共通であってもよい。
【００６８】
スケジューリングリクエストは、複数のＰＵＣＣＨサービングセルのうち、１つのＰＵＣＣＨサービングセルにおいて送信される。複数のＰＵＣＣＨサービングセルにおいて、同時に複数のスケジューリングリクエストは送信されない。スケジューリングリクエストは、プライマリーセルにおけるＰＵＣＣＨを介して送信されてもよい。スケジューリングリクエストは、スペシャルセカンダリーセルにおけるＰＵＣＣＨを介して送信されてもよい。
【００６９】
複数のＰＵＣＣＨサービングセルのうち１つのＰＵＣＣＨサービングセルにおいて、スケジューリングリクエストのためのＰＵＣＣＨリソースが設定される。スケジューリングリクエストのためのＰＵＣＣＨリソースにおいて、ＰＵＣＣＨフォーマット１が送信される。スケジューリングリクエストのためのＰＵＣＣＨリソース（ＰＵＣＣＨフォーマット１）が含まれる上りリンクサブフレームをスケジューリングリクエスト送信のインスタンス（instance）と称する。スケジューリングリクエスト送信のインスタンス（instances）は周期的な上りリンクサブフレームである。
【００７０】
スケジューリングリクエスト送信のインスタンスは上位層によって設定される。基地局装置３は、スケジューリングリクエスト送信のインスタンスを示す情報（ＲＲＣメッセージ）を、端末装置１に送信する。スケジューリングリクエスト送信のインスタンスを示す情報は、周期、および、オフセットを示す。基地局装置３は、スケジューリングリクエストのためのＰＵＣＣＨリソースが設定されるサービングセルを示す情報を、端末装置１に送信する。サブフレームを、ＴＴＩ（Transmission Time Interval）とも称する。
【００７１】
図２は、本実施形態におけるＰＵＣＣＨセルグループの一例を示す図である。
【００７２】
図２において、２００から２０７が付された四角のそれぞれは集約されるサービングセルを示す。図２において、サービングセル２００はプライマリーセルであり、サービングセル２０１から２０７はセカンダリーセルである。図２において、サービングセル２００、２０２、２０４はＰＵＣＣＨサービングセルであり、サービングセル２０１、２０３、２０５、２０６、２０７は非ＰＵＣＣＨサービングセルである。
【００７３】
図２において、ＨＡＲＱ−ＡＣＫに対するＰＵＣＣＨセルグループは、プライマリーＰＵＣＣＨセルグループ２１０およびセカンダリーＰＵＣＣＨセルグループ２２０を含む。ＨＡＲＱ−ＡＣＫに対するプライマリーＰＵＣＣＨセルグループ２１０は、サービングセル２００から２０３を含む。ＨＡＲＱ−ＡＣＫに対するプライマリーＰＵＣＣＨセルグループ２１０に含まれるサービングセル２００から２０３に対するＨＡＲＱ−ＡＣＫは、サービングセル２００、２０２の何れか１つにおけるＰＵＣＣＨを用いて送信されてもよい。
【００７４】
ＨＡＲＱ−ＡＣＫに対するプライマリーＰＵＣＣＨセルグループ２２０は、サービングセル２０４から２０７を含む。ＨＡＲＱ−ＡＣＫに対するプライマリーＰＵＣＣＨセルグループ２２０に含まれるサービングセル２０４から２０７に対するＨＡＲＱ−ＡＣＫは、サービングセル２０４におけるＰＵＣＣＨを用いて送信されてもよい。
【００７５】
図２において、ＣＳＩに対するＰＵＣＣＨセルグループは、１つのプライマリーＰＵＣＣＨセルグループ２３０のみを含む。ＣＳＩに対するプライマリーＰＵＣＣＨセルグループ２３０は、サービングセル２００から２０７を含む。ＣＳＩに対するプライマリーＰＵＣＣＨセルグループ２３０に含まれるサービングセル２００から２０７に対するＣＳＩは、サービングセル２００、２０２、２０４の何れか１つにおけるＰＵＣＣＨを用いて送信されてもよい。
【００７６】
図２において、ＳＲは、サービングセル２００、２０２、２０４の何れか１つにおけるＰＵＣＣＨを用いて送信されてもよい。
【００７７】
以下、スケジューリングリクエストに関する処理について説明する。
【００７８】
スケジューリングリクエストがトリガーされる場合には、該スケジューリングリクエストがキャンセルされるまで、該スケジューリングリクエストはペンディングであるとみなされる。スケジューリングリクエストがトリガーされ、ペンディングしている他のスケジューリングリクエストがない場合には、端末装置１はカウンターSR_COUNTERを０にセットする。
【００７９】
図３は、本実施形態における、サブフレーム（ＴＴＩ）のそれぞれに対して実行されるスケジューリングリクエストに関する処理の一例を示す図である。図３の処理はＭＡＣ層において実行される。端末装置１は、少なくとも１つのスケジューリングリクエストがペンディングしている間、送信のために利用可能なＵＬ−ＳＣＨがないサブフレームのそれぞれに対して図３における処理を実行する。尚、具体的な処理は、図３の処理に限られるものではなく、この発明の要旨を逸脱しない範囲でステップの入れ替え／追加／除去等によって変更された処理も含まれる。また、図３の処理は、請求項に示した範囲で種々の変更が可能であり、開示された技術的手段を適宜組み合わせて得られる実施形態についても本発明の技術的範囲に含まれる。
【００８０】
ステップ３００において、端末装置１は条件３００に含まれる条件を満たすか否かを判断する。ステップ３００において条件３００に含まれる条件を満たす場合、端末装置１はステップ３０２に進む。ステップ３００において条件３００に含まれる条件を満たさない場合、端末装置１は、ステップ３０４に進む。条件３００は、端末装置１が何れのサブフレームにおいても設定されたスケジューリングリクエストのための有効なＰＵＣＣＨリソースを持っていないという条件を少なくとも含む。すなわち、条件３００は、何れのサービングセルにおいてもＰＵＣＣＨリソースが設定されていないという条件を少なくとも含む。
【００８１】
ステップＳ３０２において、端末装置１は処理３０２を実行し、ステップ３０４に進む。処理３０２は、プライマリーセルにおけるランダムアクセスプロシージャを開始（initiate）するという処理、および、全てのペンディングしているスケジューリングリクエストをキャンセルするという処理を少なくとも含む。
【００８２】
ステップ３０４において、端末装置１は条件３０４に含まれる条件を満たすか否かを判断する。ステップ３０４において条件３０４に含まれる条件を満たす場合、端末装置１はステップ３０６に進む。ステップ３０４において条件３０４に含まれる条件を満たさない場合、端末装置１は、ステップ３０８に進む。条件３０６は、端末装置１がこのサブフレームにおいて設定されたスケジューリングリクエストのための有効なＰＵＣＣＨリソースを持っているという条件、および、該このサブフレームにおいてスケジューリングリクエストのための有効なＰＵＣＣＨリソースが設定されたセカンダリーセルが非活性化されているという条件を少なくとも含む。すなわち、条件３０６は、該このサブフレームにおいて、スケジューリングリクエストのための有効なＰＵＣＣＨリソースがセカンダリーセルにおいて設定されているが、該セカンダリーセルが非活性化されているという条件を少なくとも含む。
【００８３】
ステップＳ３０６において、端末装置１は処理３０６を実行し、ステップ３０８に進む。処理３０６は、プライマリーセルにおけるランダムアクセスプロシージャを開始（initiate）するという処理を少なくとも含む。処理３０６は、さらに、全てのペンディングしているスケジューリングリクエストをキャンセルするという処理を含んでもよい。処理３０６において、端末装置１はペンディングしているスケジューリングリクエストをキャンセルしなくてもよい。これによって、スケジューリングリクエストのための有効なＰＵＣＣＨリソースが設定されたセカンダリーセルが活性化された場合に、できるだけはやくスケジューリングリクエストの送信を行うことができる。
【００８４】
ステップ３０８において、端末装置１は条件３０８に含まれる条件を満たすか否かを判断する。ステップ３０８において条件３０８に含まれる条件を満たす場合、端末装置１はステップ３１０に進む。ステップ３０８において条件３０８に含まれる条件を満たさない場合、端末装置１はこのＴＴＩに対する処理を終了する。条件３０８は、このサブフレームにおいて設定されたスケジューリングリクエストのための有効なＰＵＣＣＨリソースを持っているという条件、このサブフレームが測定ギャップ（measurement gap）の一部ではないという条件、および、タイマーsr-ProhibitTimerがランニングしていないという条件を少なくとも含む。また、条件３０８は、このサブフレームにおいてスケジューリングリクエストのための有効なＰＵＣＣＨリソースが設定されたサービングセル（プライマリーセル、または、セカンダリーセル）が活性化されているという条件を含んでもよい。すなわち、条件３０８は、該このサブフレームにおいて、スケジューリングリクエストのための有効なＰＵＣＣＨリソースがサービングセルにおいて設定されており、該サービングセルが活性化されているという条件を少なくとも含む。
【００８５】
ステップ３１０において、端末装置１は条件３１０に含まれる条件を満たすか否かを判断する。ステップ３１０において条件３１０に含まれる何れの条件も満たさない場合、端末装置１はこのＴＴＩに対する処理を終了する。条件３１０は、条件３１０２、条件３１０４、および、条件３１０６を含む。
【００８６】
ステップ３１０において条件３１０２に含まれる条件を満たす場合、端末装置１はステップ３１２に進む。条件３１０２は、カウンターSR_COUNTERの値が所定の値dsr-TransMaxよりも小さいという条件を少なくとも含む。
【００８７】
ステップＳ３１２において、端末装置１は処理３１２を実行する。処理３１２は、カウンターSR_COUNTERの値を１つインクリメントする処理、ＰＵＣＣＨを用いてスケジューリングリクエストをシグナル（signal）するよう物理層に通知／指示をする処理、および、タイマーsr-ProhibitTimerをスタートする処理を少なくとも含む。
【００８８】
所定の値dsr-TransMaxは、基地局装置３によって制御されてもよい。基地局装置３は、所定の値dsr-TransMaxを示す情報を、端末装置１に送信してもよい。所定の値dsr-TransMaxのデフォルト値は、予め定義されてもよい。
【００８９】
ステップ３１０において条件３１０４に含まれる条件を満たす場合、端末装置１はステップ３１４に進む。条件３１０４は、カウンターSR_COUNTERの値が所定の値dsr-TransMaxと同じ、または、所定の値dsr-TransMaxより大きいという条件、および、スケジューリングリクエストのためのＰＵＣＣＨリソースがプライマリーセルにおいて設定されるという条件を少なくとも含む。
【００９０】
ステップＳ３１４において、端末装置１は処理３１４を実行する。処理３１４は、全てのサービングセルに対するＰＵＣＣＨ／ＳＲＳをリリースするようＲＲＣに通知／指示する処理、設定された下りリンクアサインメントおよび設定された上りリンクアサインメントをクリア（clear）する処理、プライマリーセルにおいてランダムアクセス手順を開始する処理、および、全てのペンディングしているスケジューリングリクエストをキャンセルする処理を少なくとも含む。ここで、全てのサービングセルに対するＰＵＣＣＨは、ＣＳＩに対するＰＵＣＣＨ、ＨＡＲＱ−ＡＣＫに対するＰＵＣＣＨ、および／または、スケジューリングリクエストに対するＰＵＣＣＨを含んでもよい。ここで、上りリンクアサインメントは、準静的に設定されている。
【００９１】
ステップ３１０において条件３１０６に含まれる条件を満たす場合、端末装置１はステップ３１６に進む。条件３１０６は、カウンターSR_COUNTERの値が所定の値dsr-TransMaxと同じ、または、所定の値dsr-TransMaxより大きいという条件、および、スケジューリングリクエストのためのＰＵＣＣＨリソースがセカンダリーセルにおいて設定されるという条件を少なくとも含む。
【００９２】
ステップＳ３１６において、端末装置１は処理３１６を実行する。処理３１６は、スケジューリングリクエストのためのＰＵＣＣＨリソースが設定されているセカンダリーセルに対するＰＵＣＣＨ／ＳＲＳをリリースするようＲＲＣに通知／指示する処理、プライマリーセルにおいてランダムアクセス手順を開始する処理、および、全てのペンディングしているスケジューリングリクエストをキャンセルする処理を少なくとも含む。処理３１６において、設定された下りリンクアサインメントおよび設定された上りリンクアサインメントをクリア（clear）されなくてもよい。すなわち、処理３１６において、スケジューリングリクエストのためのＰＵＣＣＨリソースが設定されているセカンダリーセル以外の全てのサービングセルに対するＰＵＣＣＨ／ＳＲＳをリリースするようＲＲＣに通知／指示しなくてもよい。ここで、スケジューリングリクエストのためのＰＵＣＣＨリソースが設定されているセカンダリーセルに対するＰＵＣＣＨは、ＣＳＩに対するＰＵＣＣＨ、ＨＡＲＱ−ＡＣＫに対するＰＵＣＣＨ、および／または、スケジューリングリクエストに対するＰＵＣＣＨを含んでもよい。ここで、上りリンクアサインメントは、準静的に設定されている。
【００９３】
ＲＲＣ層は、ＭＡＣ層からの通知／指示に基づいて、全て、または、一部のサービングセルに対するＰＵＣＣＨ／ＳＲＳをリリースする。すなわち、ＲＲＣは、ＭＡＣ層からの指示に基づいて、全て、または、一部のサービングセルに対するＰＵＣＣＨ／ＳＲＳのリソースをリリースする。
【００９４】
物理層は、ＭＡＣ層からの通知／指示に基づいて、ＰＵＣＣＨを用いてスケジューリングリクエストをシグナルする。
【００９５】
正のスケジューリングリクエストのみが送信される場合、端末装置１はスケジューリングリクエストのためのＰＵＣＣＨリソースおよびＰＵＣＣＨフォーマット１を用いて正のスケジューリングリクエストを送信する。
【００９６】
ＰＵＣＣＨフォーマット１ａ／１ｂ（ＰＵＣＣＨフォーマット１ａ、または、ＰＵＣＣＨフォーマット１ｂ）の送信が行われるサブフレームにおいてＳＲの送信が発生する場合、スケジューリングリクエストが負のスケジューリングリクエストであるならば、端末装置１は、ＨＡＲＱ−ＡＣＫのためのＰＵＣＣＨリソースを用いてＨＡＲＱ−ＡＣＫを送信する。
【００９７】
ＰＵＣＣＨフォーマット１ａ／１ｂの送信が行われるサブフレームにおいてＳＲの送信が発生する場合、スケジューリングリクエストが正のスケジューリングリクエストであり、且つ、ＨＡＲＱ−ＡＣＫとＳＲが異なるサービングセルにおいて送信されるならば、端末装置１は、スケジューリングリクエストのためのＰＵＣＣＨリソースおよびＰＵＣＣＨフォーマット１を用いて正のスケジューリングリクエストを送信し、ＨＡＲＱ−ＡＣＫのためのＰＵＣＣＨリソースを用いてＨＡＲＱ−ＡＣＫを送信してもよい。
【００９８】
ＰＵＣＣＨフォーマット１ａ／１ｂの送信が行われるサブフレームにおいてＳＲの送信が発生する場合、スケジューリングリクエストが正のスケジューリングリクエストであり、且つ、ＨＡＲＱ−ＡＣＫとＳＲが異なるサービングセルにおいて送信されるならば、端末装置１は、スケジューリングリクエストのためのＰＵＣＣＨリソースおよびＰＵＣＣＨフォーマット１を用いて正のスケジューリングリクエストを送信し、ＨＡＲＱ−ＡＣＫの送信をドロップしてもよい。
【００９９】
ＰＵＣＣＨフォーマット１ａ／１ｂの送信が行われるサブフレームにおいてＳＲの送信が発生する場合、スケジューリングリクエストが正のスケジューリングリクエストであり、且つ、ＨＡＲＱ−ＡＣＫとＳＲが異なるサービングセルにおいて送信されるならば、端末装置１は、正のスケジューリングリクエストの送信をドロップし、ＨＡＲＱ−ＡＣＫのためのＰＵＣＣＨリソースを用いてＨＡＲＱ−ＡＣＫを送信してもよい。
【０１００】
ＰＵＣＣＨフォーマット１ａ／１ｂの送信が行われるサブフレームにおいてＳＲの送信が発生する場合、スケジューリングリクエストが正のスケジューリングリクエストであり、且つ、ＨＡＲＱ−ＡＣＫとＳＲの両方が同じサービングセルにおいて送信されるならば、端末装置１は、スケジューリングリクエストのためのＰＵＣＣＨリソースを用いてＨＡＲＱ−ＡＣＫを送信してもよい。
【０１０１】
チャネルセレクションをともなうＰＵＣＣＨフォーマット１ｂの送信が行われるサブフレームにおいてＳＲの送信が発生する場合、スケジューリングリクエストが負のスケジューリングリクエストであるならば、端末装置１は、ＨＡＲＱ−ＡＣＫのためのＰＵＣＣＨリソースを用いてＨＡＲＱ−ＡＣＫを送信する。
【０１０２】
チャネルセレクションをともなうＰＵＣＣＨフォーマット１ｂの送信が行われるサブフレームにおいてＳＲの送信が発生する場合、スケジューリングリクエストが正のスケジューリングリクエストであり、且つ、ＨＡＲＱ−ＡＣＫとＳＲが異なるサービングセルにおいて送信されるならば、端末装置１は、スケジューリングリクエストのためのＰＵＣＣＨリソースおよびＰＵＣＣＨフォーマット１を用いて正のスケジューリングリクエストを送信し、ＨＡＲＱ−ＡＣＫのためのＰＵＣＣＨリソースを用いてＨＡＲＱ−ＡＣＫを送信してもよい。
【０１０３】
チャネルセレクションをともなうＰＵＣＣＨフォーマット１ｂの送信が行われるサブフレームにおいてＳＲの送信が発生する場合、スケジューリングリクエストが正のスケジューリングリクエストであり、且つ、ＨＡＲＱ−ＡＣＫとＳＲが異なるサービングセルにおいて送信されるならば、端末装置１は、スケジューリングリクエストのためのＰＵＣＣＨリソースおよびＰＵＣＣＨフォーマット１を用いて正のスケジューリングリクエストを送信し、ＨＡＲＱ−ＡＣＫの送信をドロップしてもよい。
【０１０４】
チャネルセレクションをともなうＰＵＣＣＨフォーマット１ｂの送信が行われるサブフレームにおいてＳＲの送信が発生する場合、スケジューリングリクエストが正のスケジューリングリクエストであり、且つ、ＨＡＲＱ−ＡＣＫとＳＲが異なるサービングセルにおいて送信されるならば、端末装置１は、正のスケジューリングリクエストの送信をドロップし、ＨＡＲＱ−ＡＣＫのためのＰＵＣＣＨリソースを用いてＨＡＲＱ−ＡＣＫを送信してもよい。
【０１０５】
チャネルセレクションをともなうＰＵＣＣＨフォーマット１ｂの送信が行われるサブフレームにおいてＳＲの送信が発生する場合、スケジューリングリクエストが正のスケジューリングリクエストであり、且つ、ＨＡＲＱ−ＡＣＫとＳＲの両方が同じサービングセルにおいて送信されるならば、端末装置１は、スケジューリングリクエストのためのＰＵＣＣＨリソースを用いてサービングセル毎に１ビットのＨＡＲＱ−ＡＣＫ（１ビットの情報ビットを用いて示されるＨＡＲＱ−ＡＣＫ、1-bit HARQ-ACK）を送信してもよい。すなわち、例えば、スケジューリングリクエストのためのＰＵＣＣＨリソースを用いて２ビット（b(0) , b(1)）の情報ビットが送信される場合に、２ビット（b(0) , b(1)）の情報ビットのそれぞれが、１つのサービングセルに対応する。
【０１０６】
ここで、１つのトランスポートブロック、または、１つの下りリンクＳＰＳ（Semi Persistent Scheduling）リリースを指示するＰＤＣＣＨ／ＥＰＤＣＣＨのみが、サービングセルにおいて検出される場合、該サービングセルに対する１ビットのＨＡＲＱ−ＡＣＫは、該１つのトランスポートブロック、または、該１つの下りリンクＳＰＳリリースを指示するＰＤＣＣＨ／ＥＰＤＣＣＨに対応するＨＡＲＱ−ＡＣＫのビットである。ここで、２つのトランスポートブロックが、サービングセルにおいて受信された場合、該サービングセルに対する１ビットのＨＡＲＱ−ＡＣＫは、該２つのトランスポートブロックに対応する２つのＨＡＲＱ−ＡＣＫビットを空間的にバンドリングすることによって生成される。バンドリングは、論理和演算によって実行される。ここで、ＨＡＲＱ−ＡＣＫ応答が提供されるＰＤＳＣＨ送信および下りリンクＳＰＳリリースを指示するＰＤＣＣＨ／ＥＰＤＣＣＨの何れも、該サービングセルに対して検出されない場合、該サービングセルに対するＨＡＲＱ−ＡＣＫのビットはＮＡＣＫにセットされる。
【０１０７】
端末装置１に対して２つのＰＵＣＣＨセルグループが設定されており、２つのＰＵＣＣＨセルグループのそれぞれに対してチャネルセレクションをともなうＰＵＣＣＨフォーマット１ｂが設定されており、チャネルセレクションをともなうＰＵＣＣＨフォーマット１ｂの送信が行われるサブフレームにおいてＳＲの送信が発生する場合、スケジューリングリクエストが正のスケジューリングリクエストであるならば、端末装置１は、スケジューリングリクエストのためのＰＵＣＣＨリソースを用いてＰＵＣＣＨセルグループ毎に１ビットのＨＡＲＱ−ＡＣＫを送信してもよい。すなわち、例えば、スケジューリングリクエストのためのＰＵＣＣＨリソースを用いて２ビット（b(0) , b(1)）の情報ビットが送信される場合に、２ビット（b(0) , b(1)）の情報ビットのそれぞれが、１つのＰＵＣＣＨセルグループに対応する。
【０１０８】
ＭＡＣ層からＰＵＣＣＨを用いてスケジューリングリクエストをシグナルするよう指示されたスケジューリングリクエスト送信インスタンスであって、ＰＵＳＣＨを伴わないスケジューリングリクエスト送信インスタンスにおいて、スケジューリングリクエストのためのＰＵＣＣＨリソースが設定されたＰＵＣＣＨサービングセルにおけるＰＵＣＣＨフォーマット３を用いたＨＡＲＱ−ＡＣＫの送信が発生する場合、スケジューリングリクエストのためのＰＵＣＣＨリソースが設定されたＰＵＣＣＨサービングセルにおける、ＨＡＲＱ−ＡＣＫのためのＰＵＣＣＨリソースおよびＰＵＣＣＨフォーマット３を用いてＨＡＲＱ−ＡＣＫとスケジューリングリクエストとが、ともに送信される。
【０１０９】
ＭＡＣ層からＰＵＣＣＨを用いてスケジューリングリクエストをシグナルするよう指示されたスケジューリングリクエスト送信インスタンスであって、ＰＵＳＣＨを伴わないスケジューリングリクエスト送信インスタンスにおいて、スケジューリングリクエストのためのＰＵＣＣＨリソースが設定されたＰＵＣＣＨサービングセル以外のＰＵＣＣＨサービングセルにおけるＰＵＣＣＨフォーマット３を用いたＨＡＲＱ−ＡＣＫの送信が発生する場合、スケジューリングリクエストのためのＰＵＣＣＨリソースが設定されたＰＵＣＣＨサービングセル以外のＰＵＣＣＨサービングセルにおける、ＨＡＲＱ−ＡＣＫのためのＰＵＣＣＨリソースおよびＰＵＣＣＨフォーマット３を用いたＨＡＲＱ−ＡＣＫの送信と、スケジューリングリクエストのためのＰＵＣＣＨリソースが設定されたＰＵＣＣＨサービングセルにおける、スケジューリングリクエストのためのＰＵＣＣＨリソースおよびＰＵＣＣＨフォーマット１を用いた正のスケジューリングリクエストの送信を同時に行ってもよい。
【０１１０】
ＭＡＣ層からＰＵＣＣＨを用いてスケジューリングリクエストをシグナルするよう指示されたスケジューリングリクエスト送信インスタンスであって、ＰＵＳＣＨを伴わないスケジューリングリクエスト送信インスタンスにおいて、スケジューリングリクエストのためのＰＵＣＣＨリソースが設定されたＰＵＣＣＨサービングセル以外のＰＵＣＣＨサービングセルにおけるＰＵＣＣＨフォーマット３を用いたＨＡＲＱ−ＡＣＫの送信が発生する場合、スケジューリングリクエストのためのＰＵＣＣＨリソースが設定されたＰＵＣＣＨサービングセル以外のＰＵＣＣＨサービングセルにおける、ＨＡＲＱ−ＡＣＫのためのＰＵＣＣＨリソースおよびＰＵＣＣＨフォーマット３を用いたＨＡＲＱ−ＡＣＫの送信を行い、スケジューリングリクエストのためのＰＵＣＣＨリソースが設定されたＰＵＣＣＨサービングセルにおける、スケジューリングリクエストのためのＰＵＣＣＨリソースおよびＰＵＣＣＨフォーマット１を用いた正のスケジューリングリクエストの送信をドロップしてもよい。
【０１１１】
ＭＡＣ層からＰＵＣＣＨを用いてスケジューリングリクエストをシグナルするよう指示されたスケジューリングリクエスト送信インスタンスであって、ＰＵＳＣＨを伴わないスケジューリングリクエスト送信インスタンスにおいて、スケジューリングリクエストのためのＰＵＣＣＨリソースが設定されたＰＵＣＣＨサービングセル以外のＰＵＣＣＨサービングセルにおける、ＨＡＲＱ−ＡＣＫのためのＰＵＣＣＨリソースおよびＰＵＣＣＨフォーマット３を用いたＨＡＲＱ−ＡＣＫの送信が発生する場合、スケジューリングリクエストのためのＰＵＣＣＨリソースが設定されたＰＵＣＣＨサービングセル以外のＰＵＣＣＨサービングセルにおけるＰＵＣＣＨフォーマット３を用いたＨＡＲＱ−ＡＣＫの送信をドロップし、スケジューリングリクエストのためのＰＵＣＣＨリソースが設定されたＰＵＣＣＨサービングセルにおける、スケジューリングリクエストのためのＰＵＣＣＨリソースおよびＰＵＣＣＨフォーマット１を用いた正のスケジューリングリクエストの送信を行ってもよい。
【０１１２】
ＭＡＣ層からＰＵＣＣＨを用いてスケジューリングリクエストをシグナルするよう指示されたスケジューリングリクエスト送信インスタンスであって、ＰＵＳＣＨを伴わないスケジューリングリクエスト送信インスタンスにおいて、スケジューリングリクエストのためのＰＵＣＣＨリソースが設定されたＰＵＣＣＨサービングセル以外のＰＵＣＣＨサービングセルにおけるＰＵＣＣＨフォーマット３を用いたＨＡＲＱ−ＡＣＫの送信が発生する場合、スケジューリングリクエストのためのＰＵＣＣＨリソースが設定されたＰＵＣＣＨサービングセル以外のＰＵＣＣＨサービングセルにおける、ＨＡＲＱ−ＡＣＫのためのＰＵＣＣＨリソースおよびＰＵＣＣＨフォーマット３を用いてＨＡＲＱ−ＡＣＫとスケジューリングリクエストとが、ともに送信される。
【０１１３】
以下、本実施形態におけるサービングセルの活性化（activation）および非活性化（deactivation）について説明する。
【０１１４】
プライマリーセルは常に活性化されている。ネットワーク（基地局装置３）は、活性化／非活性化ＭＡＣ（Medium Access Control）ＣＥ（Control Element）を送ることによって、設定されたセカンダリーセルを活性化および非活性化することができる。端末装置１は、設定されたサービングセルの活性化を指示する活性化／非活性化ＭＡＣ  ＣＥの受信に基づいて、該設定されたセカンダリーセルを活性化する。端末装置１は、設定されたサービングセルの非活性化を指示する活性化／非活性化ＭＡＣ  ＣＥの受信に基づいて、該設定されたセカンダリーセルを非活性化する。端末装置１は、設定されたセカンダリーセル毎にsCellDeactivationTimerを保持しており、sCellDeactivationTimerが満了した場合には関連するセカンダリーセルを非活性化する。
【０１１５】
端末装置１は、活性化されているセカンダリーセルに対して、（１）該活性化されているセカンダリーセルにおけるＰＤＣＣＨのモニタリング、（２）該活性化されているセカンダリーセルに対するＰＤＣＣＨのモニタリング、（３）該非活性化されているセカンダリーセルにおけるＳＲＳの送信、（４）該非活性化されているセカンダリーセルに対するＣＳＩの報告を含む通常のセカンダリーセルオペレーションを適用する。
【０１１６】
端末装置１は、セカンダリーセルが非活性化されている場合、（１）該非活性化されているセカンダリーセルにおいてＰＤＣＣＨをモニタせず、（２）該非活性化されているセカンダリーセルに対するＰＤＣＣＨをモニタせず、（３）該非活性化されているセカンダリーセルにおいてＳＲＳを送信せず、（４）該非活性化されているセカンダリーセルに対するＣＳＩを報告せず、（５）該非活性化されているセカンダリーセルにおいてＵＬ−ＳＣＨを送信せず、（６）該非活性化されているセカンダリーセルにおいてＰＲＡＣＨを送信せず、（７）該非活性化されているセカンダリーセルにおいてスケジューリングリクエストを送信しない。すなわち、セカンダリーセルが非活性化されている間、端末装置１は、該非活性化されているセカンダリーセルにおけるスケジューリングリクエストのためのＰＵＣＣＨリソース（ＰＵＣＣＨフォーマット１）での送信はできない。すなわち、セカンダリーセルが非活性化されている間、該非活性化されているセカンダリーセルにおけるスケジューリングリクエストのためのＰＵＣＣＨリソース（ＰＵＣＣＨフォーマット１）は無効である。
【０１１７】
スケジューリングリクエストのためのＰＵＣＣＨリソースが設定されるＰＵＣＣＨセカンダリーセルは、常に活性化されていてもよい。すなわち、活性化／非活性化ＭＡＣ  ＣＥ、および、sCellDeactivationTimerは、スケジューリングリクエストのためのＰＵＣＣＨリソースが設定されるＰＵＣＣＨセカンダリーセルに対して適用されなくてもよい。活性化／非活性化ＭＡＣ  ＣＥ、および、sCellDeactivationTimerは、スケジューリングリクエストのためのＰＵＣＣＨリソースが設定されないＰＵＣＣＨセカンダリーセルに対して適用される。
【０１１８】
すなわち、ＰＵＣＣＨセカンダリーセルにおいてスケジューリングリクエストのためのＰＵＣＣＨリソースが設定されている場合には、活性化／非活性化ＭＡＣ  ＣＥ、および、sCellDeactivationTimerは、該ＰＵＣＣＨセカンダリーセルに対して適用されなくてもよい。ＰＵＣＣＨセカンダリーセルにおいてスケジューリングリクエストのためのＰＵＣＣＨリソースが設定されておらず、ＨＡＲＱ−ＡＣＫおよび／またはＣＳＩのためのＰＵＣＣＨリソースが設定されている場合には、活性化／非活性化ＭＡＣ  ＣＥ、および、sCellDeactivationTimerは、該ＰＵＣＣＨセカンダリーセルに対して適用されてもよい。
【０１１９】
すなわち、セカンダリーセルにおいてスケジューリングリクエストのためのＰＵＣＣＨリソースが設定されている場合には、活性化／非活性化ＭＡＣ  ＣＥ、および、sCellDeactivationTimerは、該セカンダリーセルに対して適用されなくてもよい。セカンダリーセルにおいてスケジューリングリクエストのためのＰＵＣＣＨリソースが設定されていない場合には、活性化／非活性化ＭＡＣ  ＣＥ、および、sCellDeactivationTimerは、該セカンダリーセルに対して適用されてもよい。
【０１２０】
また、スケジューリングリクエスト、ＨＡＲＱ−ＡＣＫ、および／または、ＣＳＩのためのＰＵＣＣＨリソースが設定されるセカンダリーセルは、常に活性化されていてもよい。
【０１２１】
すなわち、セカンダリーセルにおいてスケジューリングリクエスト、ＨＡＲＱ−ＡＣＫ、および／または、ＣＳＩのためのＰＵＣＣＨリソースが設定されている場合には、活性化／非活性化ＭＡＣ  ＣＥ、および、sCellDeactivationTimerは、該セカンダリーセルに対して適用されなくてもよい。セカンダリーセルにおいてスケジューリングリクエスト、ＨＡＲＱ−ＡＣＫ、および、ＣＳＩのためのＰＵＣＣＨリソースが設定されていない場合には、活性化／非活性化ＭＡＣ  ＣＥ、および、sCellDeactivationTimerは、該セカンダリーセルに対して適用されてもよい。
【０１２２】
また、スケジューリングリクエストのためのＰＵＣＣＨリソースが設定されるＰＵＣＣＨセカンダリーセルは、活性化／非活性化ＭＡＣ  ＣＥ、および、sCellDeactivationTimerに基づいて非活性化されてもよい。
【０１２３】
以下、本実施形態における装置の構成について説明する。
【０１２４】
図４は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０１２５】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１２６】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、スケジューリングリクエストの伝送の制御を行う。
【０１２７】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１２８】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１２９】
ＲＦ部１２は、アンテナ部１１を介して受信した信号を、直交復調によりベースバンド信号に変換し（ダウンコンバート: down covert）、不要な周波数成分を除去する。ＲＦ部１２は、処理をしたアナログ信号をベースバンド部に出力する。
【０１３０】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１３１】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１３２】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１３３】
図５は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１３４】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１３５】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。
【０１３６】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１３７】
無線送受信部３０の機能は、無線送受信部１０と同様であるため説明を省略する。
【０１３８】
（１）本実施形態の端末装置は、１つのプライマリーセルを含む２つのサービングセルを用いて基地局装置と通信する端末装置であって、プライマリーセルにおけるランダムアクセス手順に関するパラメータを示す情報、前記プライマリーセル以外のサービングセルにおけるランダムアクセス手順に関するパラメータを示す情報、および、前記プライマリーセル以外のサービングセルにおける、スケジューリングリクエストのための物理上りリンク制御チャネルのリソースを示す情報を受信する受信部と、前記プライマリーセル以外のサービングセルにおいて、前記物理上りリンク制御チャネルを介して、初期送信のためのＵＬ−ＳＣＨ（uplink shared channel）リソースを要求するために用いられるスケジューリングリクエストを送信する送信部と、あるＴＴＩ（Transmission Time Interval）において少なくとも１つのスケジューリングリクエストがペンディングされており、前記あるＴＴＩにおいて送信のために利用可能なＵＬ−ＳＣＨリソースがなく、前記端末装置が前記あるＴＴＩに対して設定されるスケジューリングリクエストのための有効な物理上りリンク制御チャネルのリソースを持っているという条件を少なくとも含む条件を満たす第１の場合に、カウンターの値が所定の値より小さいならば、前記カウンターの値を１つインクリメントし、前記プライマリーセル以外のサービングセルにおける前記物理上りリンク制御チャネルを介して前記スケジューリングリクエストを送信するよう前記送信部に指示し、前記第１の場合に、前記カウンターの値が前記所定の値と同じ、または、前記所定の値より大きいならば、前記プライマリーセルにおけるランダムアクセス手順を開始し、前記プライマリーセル以外のサービングセルにおける前記スケジューリングリクエストのための前記物理上りリンク制御チャネルのリソースをリリースし、全てのペンディングしているスケジューリングリクエストをキャンセルするＭＡＣ層処理部と、を備えてもよい。
【０１３９】
（２）本実施形態の端末装置は、１つのプライマリーセルを含む２つのサービングセルを用いて基地局装置と通信する端末装置であって、プライマリーセルにおけるランダムアクセス手順に関するパラメータを示す情報、前記プライマリーセル以外のサービングセルにおけるランダムアクセス手順に関するパラメータを示す情報、および、前記プライマリーセル以外のサービングセルにおける、スケジューリングリクエストのための物理上りリンク制御チャネルのリソースを示す情報を受信する受信部と、前記プライマリーセル以外のサービングセルにおいて、前記物理上りリンク制御チャネルを介して、初期送信のためのＵＬ−ＳＣＨ（uplink shared channel）リソースを要求するために用いられるスケジューリングリクエストを送信する送信部と、あるＴＴＩ（Transmission Time Interval）において少なくとも１つのスケジューリングリクエストがペンディングされており、前記あるＴＴＩにおいて送信のために利用可能なＵＬ−ＳＣＨリソースがなく、前記端末装置が前記あるＴＴＩに対して設定されるスケジューリングリクエストのための有効な物理上りリンク制御チャネルのリソースを持っており、前記プライマリーセル以外のサービングセルがデアクティベートされているという条件を少なくとも含む条件を満たす第１の場合に、前記プライマリーセルにおけるランダムアクセス手順を開始し、全てのペンディングしているスケジューリングリクエストをキャンセルするＭＡＣ層処理部と、を備えてもよい。
【０１４０】
（３）本実施形態の端末装置は、１つのプライマリーセルを含む２つのサービングセルを用いて基地局装置と通信する端末装置であって、前記プライマリーセル、または、前記プライマリーセル以外のサービングセルにおいて、前記物理上りリンク制御チャネルを介して、初期送信のためのＵＬ−ＳＣＨ（uplink shared channel）リソースを要求するために用いられるスケジューリングリクエストを送信する送信部と、あるＴＴＩ（Transmission Time Interval）において少なくとも１つのスケジューリングリクエストがペンディングされており、前記あるＴＴＩにおいて送信のために利用可能なＵＬ−ＳＣＨリソースがなく、前記端末装置が前記あるＴＴＩに対して前記プライマリーセル、または、前記プライマリーセル以外のサービングセルにおいて設定されるスケジューリングリクエストのための有効な物理上りリンク制御チャネルリソースを持っているという条件を少なくとも含む条件を満たす場合に、カウンターの値が所定の値より小さいならば、前記カウンターの値を１つインクリメントし、前記プライマリーセル、または、前記プライマリーセル以外のサービングセルにおける前記物理上りリンク制御チャネルを介して前記スケジューリングリクエストを送信するよう前記送信部に指示し、あるＴＴＩにおいて少なくとも１つのスケジューリングリクエストがペンディングされており、前記あるＴＴＩにおいて送信のために利用可能なＵＬ−ＳＣＨリソースがなく、前記端末装置が前記あるＴＴＩに対して前記プライマリーセルにおいて設定されるスケジューリングリクエストのための有効な物理上りリンク制御チャネルリソースを持っているという条件を少なくとも含む条件を満たす場合に、前記カウンターの値が前記所定の値と同じ、または、前記所定の値より大きいならば、全てのサービングセルのための物理上りリンク制御チャネルをリリースするよう、ＲＲＣに指示し、あるＴＴＩにおいて少なくとも１つのスケジューリングリクエストがペンディングされており、前記あるＴＴＩにおいて送信のために利用可能なＵＬ−ＳＣＨリソースがなく、前記端末装置が前記あるＴＴＩに対して前記プライマリーセル以外のサービングセルにおいて設定されるスケジューリングリクエストのための有効な物理上りリンク制御チャネルリソースを持っているという条件を少なくとも含む条件を満たす場合に、前記カウンターの値が前記所定の値と同じ、または、前記所定の値より大きいならば、前記プライマリーセル以外のサービングセルのための物理上りリンク制御チャネルをリリースするよう、ＲＲＣに指示するＭＡＣ層処理部と、を備えてもよい。
【０１４１】
（４）本実施形態の端末装置が備えるＭＡＣ層処理部は、あるＴＴＩにおいて少なくとも１つのスケジューリングリクエストがペンディングされており、前記あるＴＴＩにおいて送信のために利用可能なＵＬ−ＳＣＨリソースがなく、前記端末装置が前記あるＴＴＩに対して前記プライマリーセル以外のサービングセルにおいて設定されるスケジューリングリクエストのための有効な物理上りリンク制御チャネルリソースを持っているという条件を少なくとも含む条件を満たす場合に、前記カウンターの値が前記所定の値と同じ、または、前記所定の値より大きいならば、前記プライマリーセルのための物理上りリンク制御チャネルをリリースしなくてもよい。
【０１４２】
（５）本実施形態の端末装置は、１つのプライマリーセルを含む２つのサービングセルを用いて基地局装置と通信する端末装置であって、前記プライマリーセル、または、前記プライマリーセル以外のサービングセルにおいて、前記物理上りリンク制御チャネルを介して、初期送信のためのＵＬ−ＳＣＨ（uplink shared channel）リソースを要求するために用いられるスケジューリングリクエストを送信する送信部と、あるＴＴＩ（Transmission Time Interval）において少なくとも１つのスケジューリングリクエストがペンディングされており、前記あるＴＴＩにおいて送信のために利用可能なＵＬ−ＳＣＨリソースがなく、前記端末装置が前記あるＴＴＩに対して前記プライマリーセル、または、前記プライマリーセル以外のサービングセルにおいて設定されるスケジューリングリクエストのための有効な物理上りリンク制御チャネルリソースを持っているという条件を少なくとも含む条件を満たす場合に、カウンターの値が所定の値より小さいならば、前記カウンターの値を１つインクリメントし、前記プライマリーセル、または、前記プライマリーセル以外のサービングセルにおける前記物理上りリンク制御チャネルを介して前記スケジューリングリクエストを送信するよう前記送信部に指示し、あるＴＴＩにおいて少なくとも１つのスケジューリングリクエストがペンディングされており、前記あるＴＴＩにおいて送信のために利用可能なＵＬ−ＳＣＨリソースがなく、前記端末装置が前記あるＴＴＩに対して前記プライマリーセルにおいて設定されるスケジューリングリクエストのための有効な物理上りリンク制御チャネルリソースを持っているという条件を少なくとも含む条件を満たす場合に、前記カウンターの値が前記所定の値と同じ、または、前記所定の値より大きいならば、全てのサービングセルのための物理上りリンク制御チャネルをリリースするよう、ＲＲＣに指示し、あるＴＴＩにおいて少なくとも１つのスケジューリングリクエストがペンディングされており、前記あるＴＴＩにおいて送信のために利用可能なＵＬ−ＳＣＨリソースがなく、前記端末装置が前記あるＴＴＩに対して前記プライマリーセル以外のサービングセルにおいて設定されるスケジューリングリクエストのための有効な物理上りリンク制御チャネルリソースを持っているという条件を少なくとも含む条件を満たす場合に、前記カウンターの値が前記所定の値と同じ、または、前記所定の値より大きいならば、前記プライマリーセル以外のサービングセルのための物理上りリンク制御チャネルをリリースするよう、ＲＲＣに指示するＭＡＣ層処理部と、を備えてもよい。
【０１４３】
（６）本実施形態の端末装置は、１つのプライマリーセルを含む２つのサービングセルを用いて基地局装置と通信する端末装置であって、前記プライマリーセル、または、前記プライマリーセル以外のサービングセルにおいて、前記物理上りリンク制御チャネルを介して、初期送信のためのＵＬ−ＳＣＨ（uplink shared channel）リソースを要求するために用いられるスケジューリングリクエストを送信する送信部と、あるＴＴＩ（Transmission Time Interval）において少なくとも１つのスケジューリングリクエストがペンディングされており、前記あるＴＴＩにおいて送信のために利用可能なＵＬ−ＳＣＨリソースがなく、前記端末装置が前記あるＴＴＩに対して前記プライマリーセル、または、前記プライマリーセル以外のサービングセルにおいて設定されるスケジューリングリクエストのための有効な物理上りリンク制御チャネルリソースを持っているという条件を少なくとも含む条件を満たす場合に、カウンターの値が所定の値より小さいならば、前記カウンターの値を１つインクリメントし、前記プライマリーセル、または、前記プライマリーセル以外のサービングセルにおける前記物理上りリンク制御チャネルを介して前記スケジューリングリクエストを送信するよう前記送信部に指示し、あるＴＴＩにおいて少なくとも１つのスケジューリングリクエストがペンディングされており、前記あるＴＴＩにおいて送信のために利用可能なＵＬ−ＳＣＨリソースがなく、前記端末装置が前記あるＴＴＩに対して前記プライマリーセルにおいて設定されるスケジューリングリクエストのための有効な物理上りリンク制御チャネルリソースを持っているという条件を少なくとも含む条件を満たす場合に、前記カウンターの値が前記所定の値と同じ、または、前記所定の値より大きいならば、設定されている下りリンクアサインメントおよび設定されている上りリンクグラントをクリアし、あるＴＴＩにおいて少なくとも１つのスケジューリングリクエストがペンディングされており、前記あるＴＴＩにおいて送信のために利用可能なＵＬ−ＳＣＨリソースがなく、前記端末装置が前記あるＴＴＩに対して前記プライマリーセル以外のサービングセルにおいて設定されるスケジューリングリクエストのための有効な物理上りリンク制御チャネルリソースを持っているという条件を少なくとも含む条件を満たす場合に、前記カウンターの値が前記所定の値と同じ、または、前記所定の値より大きいならば、設定されている下りリンクアサインメントおよび設定されている上りリンクグラントをクリアしないＭＡＣ層処理部と、を備えてもよい。
【０１４４】
（７）本実施形態の端末装置は、１つのプライマリーセルを含む２つのサービングセルを用いて基地局装置と通信する端末装置であって、前記プライマリーセル、および、前記プライマリーセル以外のサービングセルのそれぞれにおいて物理上りリンク制御チャネルを送信する送信部と、前記プライマリーセル以外のサービングセルにおいて、初期送信のためのＵＬ−ＳＣＨ（uplink shared channel）リソースを要求するために用いられるスケジューリングリクエストのための物理上りリンク制御チャネルのリソースが設定されない場合には、ＭＡＣ制御要素に基づいて、前記プライマリーセル以外のサービングセルをアクティベート、および、デアクティベートするＭＡＣ層処理部と、を備えてもよく、前記プライマリーセル以外のサービングセルにおいて、前記スケジューリングリクエストのための物理上りリンク制御チャネルのリソースが設定される場合には、前記プライマリーセル以外のサービングセルは常にアクティベートされてもよい。
【０１４５】
（８）本実施形態の基地局装置は、１つのプライマリーセルを含む２つのサービングセルを用いて端末装置と通信する端末装置であって、前記プライマリーセル、および、前記プライマリーセル以外のサービングセルのそれぞれにおいて物理上りリンク制御チャネルを受信する受信部と、前記プライマリーセル以外のサービングセルにおいて、初期送信のためのＵＬ−ＳＣＨ（uplink shared channel）リソースを要求するために用いられるスケジューリングリクエストのための物理上りリンク制御チャネルのリソースが設定されない場合には、ＭＡＣ制御要素を送信することによって、前記プライマリーセル以外のサービングセルをアクティベート、および、デアクティベートするＭＡＣ層処理部と、を備えてもよく、前記プライマリーセル以外のサービングセルにおいて、前記スケジューリングリクエストのための物理上りリンク制御チャネルのリソースが設定される場合には、前記プライマリーセル以外のサービングセルは常にアクティベートされてもよい。
【０１４６】
これにより、端末装置１は、効率的に基地局装置３と通信することができる。
【０１４７】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１４８】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１４９】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１５０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１５２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１５３】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１５４】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１５５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１５６】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2016121731.tif 000003
【図２】
2016121731.tif 000004
【図３】
2016121731.tif 000005
【図４】
2016121731.tif 000006
【図５】
2016121731.tif 000007
【国際調査報告】
2016121731.tif 000008
2016121731.tif 000009
2016121731.tif 000010
2016121731.tif 000011